(57)【特許請求の範囲】
【請求項１】
本発明は電灯器の照明部位すなわち電球及びこれを装着する為のソケット等を有する部分と、電灯器本体とが電気コ−ドを介する事なくワンタッチで着脱自在となした照明部位着脱電灯器に関するもので、本発明の電灯器は電灯器の本体であるところの本体（Ａ）と電灯器の照明部位で有るところの照明部位（Ｂ）から構成されてあり、本体（Ａ）は天井などにボルト（１）で固定するもので、軽合金又はプラスチックで出来ており円筒形の支柱部（２）とそれに固着した枝部（３）とからなり一体に形成されて有り、枝部（３）は左右対称に二つ設けられて有り、それぞれの枝部（３）はその内部に上面（４）に露出する形で照明部位（Ｂ）のサシ込ミプラグ（５）を受け入れる為の、コンセント（６）が埋め込まれ、そのコンセント（６）から伸びた電線（７）は支柱部（２）の内部に設けられた電気分流器（８）を通じて外に伸ばされてあり、本体（Ａ）を天井などにボルト（１）で固定する際に壁などに設置する入切スイッチ（９）を通し、同じく壁などに配線された電線（７）と接続させるものであり、又照明部位（Ｂ）はソケット部（１０）と、電球（１１）を囲む形でしつらえられたカバ−部（１２）からなり、一体に作り付けてあり、カバ−部（１２）は光を通すガラス又はプラスチックで出来ているもので有り、又ソケット部（１０）は軽合金又はプラスチックで出来ていて電球（１１）を装着させる為の、ソケット（１３）が固着させて有り、そのソケット（１３）と電線（７）でつながるサシ込ミプラグ（５）がソケット部（１０）のウラ底（１４）に作り付けてあり、又本体（Ａ）の枝部（３）とソケット部（１０）の形状は、ソケット部（１０）のウラ底（１４）が枝部（３）の横幅の長さに応じてくぼませて有るとともに、枝部（３）の上面（４）の両側が隆起しソケット部（１０）を支える形をなし、双方が隙間無く接合出来る形状をなしているので、照明部位（Ｂ）を上方に引き抜こうとしない限り外れない形状にしつらえてあり、更に又ソケット部（１０）のサシ込ミプラグ（５）の位置は枝部（３）とソケット部（１０）の形状に従い上方から下方に照明部位（Ｂ）を本体（Ａ）に接合させる際、枝部（３）のコンセント（６）に対応する位置に設定されて有り、コンセント（６）の位置を確認しなくても接合動作の際、サシ込ミプラグ（５）はごく自然にコンセント（６）に挿入され、本体（Ａ）に対して照明部位（Ｂ）の着脱が極めて容易に出来る様構成されて有るものであり、部屋のインテリアの変更などに応じて、本体（Ａ）に対して同様の着脱部形状を有するさまざまにデザインされた数多くの照明部位（Ｂ）をワンタッチで交換着脱出来る様になす事が出来るとともに、電球（１２）の交換や付着したホコリのクリ−ニングの際、照明部位（Ｂ）をワンタッチで本体（Ａ）から脱却させ、作業を行こないやすい場所に移動し作業を行こなった後、すみやかにワンタッチで照明部位（Ｂ）を本体（Ａ）に戻す事が出来る様構成されたもので有り、電気コ−ドを介する事なく電灯器の本体に電灯器の照明部位を着脱自在となしたので、電気コ−ドが露出せずデザイン的にもすっきりとした効果をもたらす照明部位着脱電灯器。
【発明の詳細な説明】
【０００１】
【発明の属する技術分野】
本発明は電球及び、これを装着する為のソケットなどを有する電灯器の照明部位を、電灯器の本体に電気コ−ドを介する事なくワンタッチで着脱出来る事を可能にした照明部位着脱電灯器に関する。
【０００２】
【従来の技術】
従来の電灯器においては電球及び、これを装着する為のソケットなどを有する電灯器の照明部位を電灯器の本体に電気コ−ドを介する事なくワンタッチで着脱出来るものはなかった。
【０００３】
【発明が解決しようとする課題】
電球及びこれを装着する為のソケットなどを有する電灯器の照明部位を、電灯器の本体にワンタッチで着脱出来る様にする事によって、部屋の模様がえなどに応じて、天井などに設けられた電灯器の本体を残したまま、照明部位のみを交換着脱出来る事により、工事をすることも無く簡便に電灯器の印象を一変させる事が出来、又電球の交換や照明部位についたホコリのクリ−ニングなどを容易になせる様にする事を目的とする。
【０００４】
【課題を解決するための手段】
本発明は電球及びこれを装着する為のソケットなどを有する電灯器の照明部位を、電灯器の本体に電気コ−ドを介する事なく、着脱自在となす為に、電灯器の本体で有るところの、本体（Ａ）の枝部（３）にコンセント（６）を設け、電灯器の照明部位で有るところの照明部位（Ｂ）のソケット部（１０）のウラ底（１４）にサシ込ミプラグ（５）を設けるもので、このサシ込ミプラグ（５）の位置は枝部（３）とソケット部（１０）の形状にしたがい、上方から下方に照明部位（Ｂ）を本体（Ａ）に接合させる際、枝部（３）のコンセント（６）に対応する位置に設定するものである。
【０００５】
【発明の実施の形態】
上記の様に構成された照明部位着脱電灯器は、電灯器の本体で有るところの本体（Ａ）に電灯器の照明部位で有るところの照明部位（Ｂ）をワンタッチで着脱出来る様になされてあり、部屋の模様替え等に応じて異なった色やデザインの照明部位（Ｂ）に交換する際は、本体（Ａ）に接合されている照明部位（Ｂ）を上方に引き抜き、本体（Ａ）からワンタッチで分離させ同様の着脱部形状を持つ異なった色やデザインの新たな照明部位（Ｂ）を、本体（Ａ）の上方から下方に引き下ろし、ワンタッチで接合させるものである。電球（１１）の交換や、照明部位で有るところの照明部位（Ｂ）についたホコリのクリ−ニングの際には、ワンタッチで本体（Ａ）から照明部位（Ｂ）を分離させ作業のしやすい場所に移動ししかるのち本体（Ａ）の上方から下方に、照明部位（Ｂ）を引き下ろしワンタッチで接合させるものである。
【０００６】
【実施例】
以下図面にそって説明すると（Ａ）は本発明の本体、（Ｂ）はこれに着脱させる本発明の照明部位である。本体（Ａ）の枝部（３）に上面（４）に露出する形で、照明部位（Ｂ）のサシ込ミプラグ（５）を受け入れる為のコンセント（６）が埋め込まれて有る。そのコンセント（６）から支柱部（２）の内部に設けられた、電気分流器（８）を通じて外に電線（７）が伸ばされてあり、本体（Ａ）を天井などにボルト（１）にて固定する際に、壁などに設置された入切スイッチ（９）を通した電線（７）と接続させる。照明部位（Ｂ）はカバ−部（１２）とソケット部（１０）からなり、一体に作り付けてある。
【０００７】
カバ−部（１２）は光を通すガラス又はプラスチックで出来ており、電球（１１）を囲む形でしつらえるもので有る。ソケット部（１０）は軽合金又はプラスチックで出来ていて、電球（１１）を装着するソケット（１３）が固着させて有りそのソケット（１３）と電線（７）でつながるサシ込ミプラグ（５）がウラ底（１４）に作り付けて有る。ウラ底（１４）の部分は、枝部（３）の横幅の長さに応じてくぼませて有り、本体（Ａ）の枝部（３）をまたぐ様な形状にしつらえてある。
【０００８】
又上面（４）の両側は隆起し、照明部位（Ｂ）を支える形状となっている。そしてまたソケット部（１０）のウラ底（１４）に設けられた、サシ込ミプラグ（５）の位置は、枝部（３）とソケット部（１０）の形状にしたがって、上方から下方に照明部位（Ｂ）を本体（Ａ）に接合させる際、枝部（３）のコンセント（６）に対応する位置に設定するもので有る。これによりコンセント（６）の位置を確認しなくても、接合動作の際、サシ込ミプラグ（５）はごく自然にコンセント（６）に挿入され、本体（Ａ）に対して照明部位（Ｂ）の着脱が極めて容易に行なえる様になっている。又図２に示した実施例は本体（Ａ）の枝部（３）を根元から切り取りそこに渕辺（１５）を固着させ、ネジ（１６）により壁や柱にネジ留め出来る様にした壁掛型の照明部位着脱電灯器である。コンセント（６）から伸びた電線（７）は外に伸ばされて有り、枝部（３）を壁や柱にネジ留めする際に壁などに設置された入切スイッチ（９）を通して、やはり壁などに配線されている電線（７）と接続させるもので有る。
【０００９】
【発明の効果】
以上説明した様に電灯器の本体であるところの本体（Ａ）に、電灯器の照明部位であるところの照明部位（Ｂ）を着脱自在となしたので、部屋の模様替えなどに応じて同様の着脱部形状を持つ様々にデザインされた多数の照明部位（Ｂ）をワンタッチで交換着脱する事が出来るので、壁や天井などに取り付けられた電灯器全体を交換すると言った、大工事をすること無く、簡便にして安価により電灯器の印象を一変させる事が出来る。又電球（１１）の交換や、付着したホコリのクリ−ニングの際には、照明部位（Ｂ）をワンタッチで本体（Ａ）から分離させる事が出来るので、高所で不自然な姿勢で電球のネジ入れや、ネジ取り、及びホコリの除去等をする必要が無く、作業のしやすい場所に移動して、電球（１１）を交換する事が出来るので安全で有り、そして又高所でのホコリのクリ−ニングにくらべて部屋を汚しにくいので野外で照明部位（Ｂ）に付いたホコリをはらうなどして、しかるのちワンタッチで本体（Ａ）に照明部位（Ｂ）を接合させる事が出来る。
【図面の簡単な説明】
【図１】本発明の照明部位着脱電灯器の本体（Ａ）と照明部位（Ｂ）とが、接合及び分離している様子を示した正面図。
【図２】壁等にネジ留め出来る様になした本体（Ａ）の枝部（３）と照明部位（Ｂ）が接合した様子を示した正面図。
【図３】照明部位（Ｂ）と、本体（Ａ）の枝部（３）との関係を示す側面図。
【図４】ソケット部（１０）のウラ底（１４）に作り付けられたサシ込ミプラグ（５）の様子を示す照明部位（Ｂ）の底面図。
【図５】本体（Ａ）の上面（４）とそこに露出したコンセント（６）の様子を示した枝部（３）の平面図。
【符号の説明】
Ａ      本体
Ｂ      照明部位
１      ボルト
２      支柱部
３      枝部
４      上面
５      サシ込ミプラグ
６      コンセント
７      電線
８      電気分流器
９      入切スイッチ
１０    ソケット部
１１    電球
１２    カバ−部
１３    ソケット
１４    ウラ底
１５    渕辺
１６    ネジ
【図１】
0003924717.tif 000002
【図２】
0003924717.tif 000003
【図３】
0003924717.tif 000004
【図４】
0003924717.tif 000005
【図５】
0003924717.tif 000006